(57)【特許請求の範囲】
【請求項１】
単一モードで発振する半導体レーザを有する半導体レーザチップが搭載された光源ブロックと、前記半導体レーザの光発振周波数の制御に用いられ、基準となる光周波数を有するエタロン・フィルタが搭載された波長ロッカー・ブロックにより構成される半導体レーザ光源において、
前記波長ロッカー・ブロック内の前記エタロン・フィルタからの反射光の一部が前記光源ブロック内の前記半導体レーザチップに戻るように構成され、
単一モードで発振する前記半導体レーザの光発振周波数が増加したときに前記エタロン・フィルタから戻る反射光の強度が強くなり、
逆に光発振周波数が減少したときに前記エタロン・フィルタから戻る反射光の強度が弱くなるようなフィルタ特性となる動作点で前記エタロン・フィルタを動作させる
ことを特徴とする半導体レーザ光源。
【請求項２】
請求項１記載の半導体レーザ光源において、
単一モードで発振する前記半導体レーザが、回折格子による波長選択機能を備えた分布帰還型レーザ、もしくは分布反射型レーザのいずれかで構成される
ことを特徴とする半導体レーザ光源。
【請求項３】
請求項１または２に記載の半導体レーザ光源において、
単一モードで発振する半導体レーザを有する前記半導体レーザチップが、Ｎ（≧１）個の半導体レーザからなるレーザアレイ、Ｎ対１光合波器、および半導体アンプが集積された波長可変レーザとなっている
ことを特徴とする半導体レーザ光源。
【請求項４】
請求項１から３のいずれか１項に記載の半導体レーザ光源において、
前記波長ロッカー・ブロックの光出射側の先の光路上に光アイソレータが設けられており、
前記波長ロッカー・ブロック内の前記エタロン・フィルタからの反射光の一部が前記光源ブロック上の前記半導体レーザチップに戻る光路上には光アイソレータが設けられていないことを特徴とする半導体レーザ光源。
【請求項５】
請求項１から４のいずれか１項に記載の半導体レーザ光源において、
パッケージの中に前記光源ブロックと前記波長ロッカー・ブロックの２つの機能ブロックが配置され、
それぞれの機能ブロックは、ＴＥＣ（Ｔｈｅｒｍｏ−ｅｌｅｃｔｒｉｃ  ｃｏｏｌｅｒ）素子の上に実装されて、各々、独立に温度を調整することができるように構成され、
前記波長ロッカー・ブロックには、
前記光源ブロックから直接入射したレーザ光を分岐させるための第１の部分反射ミラーと、
前記第１の部分反射ミラーからの分岐光の一方をさらに分岐するための第２の部分反射ミラーと、
前記第２の部分反射ミラーからの分岐光の一方を受ける前記エタロン・フィルタと、
前記第２の部分反射ミラーからの分岐光の他方を受ける強度モニタ用フォトダイオードと、
前記エタロン・フィルタからの透過光を受ける波長モニタ用フォトダイオードと、
温度モニタ用サーミスタが実装されている
ことを特徴とする半導体レーザ光源。
【請求項６】
請求項１から５のいずれか１項に記載の半導体レーザ光源において、
前記エタロン・フィルタを構成する２枚の部分反射面は光線軸に対して垂直に配置されていることを特徴とする半導体レーザ光源。
【請求項７】
請求項５に記載の半導体レーザ光源において、
少なくとも前記波長モニタ用フォトダイオードの出力電流に基づいて、前記半導体レーザの光発振周波数を安定化するように制御する
ことを特徴とする半導体レーザ光源。
【発明の詳細な説明】
【技術分野】
【０００１】
本発明は、中長距離の光ファイバ通信で用いられる単一モードで動作する半導体レーザ光源に関するものである。
【背景技術】
【０００２】
近年、光通信システムの大容量化に伴い、多値位相振幅変調を用いたデジタル・コヒーレント通信方式が普及し始めている。この通信方式は光の位相情報を用いてデジタル信号を伝達する方式であるため、光源としては、光発振周波数（波長）が安定かつ位相雑音が少なくスペクトル線幅が狭いレーザ光源が必要になる。半導体レーザは小型で低コストなため、光通信用光源として広く普及しているが、特に中・長距離の光通信システムでは、単一モードで動作する分布帰還型（ＤＦＢ）レーザなどが広く用いられている。
【０００３】
また中・長距離の光通信システムでは、光ファイバ１本あたりの伝送容量を増大させるために、波長多重（ＷＤＭ）技術を用いることが一般的であり、光源にはどの波長チャネルでも出力できるような、波長可変特性も必要とされている。
【０００４】
図１に、現在、主に用いられている波長可変レーザモジュールの概略の基本構成を示す。このレーザモジュールには、半導体レーザで構成されたレーザ光源１からのレーザ光を部分反射ミラー２で分岐して受け、光発振波長を安定化させるために波長ロッカー３が内蔵されている。波長ロッカー３は、波長基準となるエタロン・フィルタやモニタ用のフォトダイオード（ＰＤ）などにより構成される光学部品である。
【０００５】
波長ロッカー３では、エタロン・フィルタの透過率の光周波数依存性を利用し、エタロン・フィルタを透過した半導体レーザ光の光発振周波数（波長）をモニタ用のＰＤにより検出し、基準となるエタロン・フィルタの光周波数に合致させるように半導体レーザ１に外部的な電気的制御を施すことで、半導体レーザの光発振周波数（波長）を安定化させている。
【０００６】
一般に、半導体レーザは、他の固体レーザやガス・レーザなどと比べると、共振器サイズが小さいため、位相ノイズは相対的に大きい。上記の様な外部的制御は、ある程度の時間遅れを伴うため、レーザ光発振周波数を長期的には安定化させたとしても、短期的な光発振周波数の変動は大きく、発振レーザ光の光スペクトルの線幅はかなり広い。通常の数百μｍの共振器サイズの半導体レーザの線幅は、MHzのオーダーとなっている。
【０００７】
現在、普及が進んでいる100 Gbit/sのデジタル・コヒーレント通信システムにおいては、偏波多重ＱＰＳＫ変調方式が用いられており、数百kHzの線幅の光源が要求されている。そこでは、共振器長を１mm程度まで長くして狭線幅化した波長可変分布帰還型（ＤＦＢ）レーザアレイや外部共振器型レーザなどが用いられている。今後、より多値度の大きな大容量通信を実現するためには、よりスペクトル線幅の狭い光源の実現が期待されている。
【先行技術文献】
【非特許文献】
【０００８】
【非特許文献１】M. Finot, et al., “Thermally tuned external cavity laser with micromachined silicon etalons: design, process and reliability,” Electronic Components and Technology Conference 2004 Proceedings, Vol. 1, pp. 818-823, 2004.
【非特許文献２】K. Aoyama, et al., “Optical Negative Feedback for Linewidth Reduction of Semiconductor Lasers,” IEEE Photon. Technol. Lett., vol. 27, No. 4, pp. 340 - 343, 2015.
【発明の概要】
【発明が解決しようとする課題】
【０００９】
例えばスペクトル線幅を10kHz程度まで狭める構成としては、光増幅作用を有する半導体チップの外部にレーザ発振のための光学共振器を構成する、いわゆる外部共振器型レーザがある。たとえば、非特許文献１に示すような、半導体アンプと外部反射器、波長を選択するためのエタロン・フィルタ、レンズなどで構成される外部共振器型レーザにより、1550nmのＣ帯全域をカバーする波長可変特性と数10kHzの線幅特性が得られている。
【００１０】
しかしながら、外部共振器型レーザは、半導体チップ以外にも外部に多数の部品を必要とし、なおかつ、高精度に組み立てる必要があるといった課題がある。また、多数の共振モードの中から一つの波長を選択するために、少なくとも２個以上の波長フィルタを制御しなければならず、制御回路が複雑になるといった課題や、波長特性の検査が複雑であるといった課題もある。
【００１１】
一方、半導体チップ上に光共振器を設けて構成されたＤＦＢレーザなどの半導体レーザをベースとした波長可変レーザでは、原理的に同じ発振モードを保ったまま、半導体チップの温度制御などを用いて波長を変えることができるため、制御は簡単であるが、狭線幅化には限界がある。前述の様に1mm程度までの長共振器化により、100kHz程度までの線幅は得られているが、これ以上共振器長を長くすると、半導体チップの製造ゆらぎにより均一な共振器を形成することが難しくなるといった課題がある。
【課題を解決するための手段】
【００１２】
本発明は、このような問題に鑑みてなされたものであって、半導体レーザと波長ロッカーを組み合わせることによって、小型で制御性がよく、安定かつ狭線幅のレーザ光源を実現するものである。
【００１３】
本発明は、このような目的を達成するために、以下のような構成を備えることを特徴とする。
【００１４】
（発明の構成１）
単一モードで発振する半導体レーザを有する半導体レーザチップが搭載された光源ブロックと、前記半導体レーザの光発振周波数の制御に用いられ、基準となる光周波数を有するエタロン・フィルタが搭載された波長ロッカー・ブロックにより構成される半導体レーザ光源において、前記波長ロッカー・ブロック内の前記エタロン・フィルタからの反射光の一部が前記光源ブロック内の前記半導体レーザチップに戻るように構成され、単一モードで発振する前記半導体レーザの光発振周波数が増加したときに前記エタロン・フィルタから戻る反射光の強度が強くなり、逆に光発振周波数が減少したときに前記エタロン・フィルタから戻る反射光の強度が弱くなるようなフィルタ特性となる動作点で前記エタロン・フィルタを動作させることを特徴とする半導体レーザ光源。
【００１５】
（発明の構成２）
発明の構成１記載の半導体レーザ光源において、単一モードで発振する前記半導体レーザが、回折格子による波長選択機能を備えた分布帰還型レーザ、もしくは分布反射型レーザのいずれかで構成されることを特徴とする半導体レーザ光源。
【００１６】
（発明の構成３）
発明の構成１または２のいずれか１項に記載の半導体レーザ光源において、単一モードで発振する半導体レーザを有する前記半導体レーザチップが、Ｎ（≧１）個の半導体レーザからなるレーザアレイ、Ｎ対１光合波器、および半導体アンプが集積された波長可変レーザとなっていることを特徴とする半導体レーザ光源。
【００１８】
（発明の構成４）
発明の構成１から３のいずれか１項に記載の半導体レーザ光源において、
前記波長ロッカー・ブロックの光出射側の先の光路上に光アイソレータが設けられており、
前記波長ロッカー・ブロック内の前記エタロン・フィルタからの反射光の一部が前記光源ブロック上の前記半導体レーザチップに戻る光路上には光アイソレータが設けられていないことを特徴とする半導体レーザ光源。
【００１９】
（発明の構成５）
発明の構成１から４のいずれか１項に記載の半導体レーザ光源において、
パッケージの中に前記光源ブロックと前記波長ロッカー・ブロックの２つの機能ブロックが配置され、
それぞれの機能ブロックは、ＴＥＣ（Ｔｈｅｒｍｏ−ｅｌｅｃｔｒｉｃ  ｃｏｏｌｅｒ）素子の上に実装されて、各々、独立に温度を調整することができるように構成され、
前記波長ロッカー・ブロックには、
前記光源ブロックから直接入射したレーザ光を分岐させるための第１の部分反射ミラーと、
前記第１の部分反射ミラーからの分岐光の一方をさらに分岐するための第２の部分反射ミラーと、
前記第２の部分反射ミラーからの分岐光の一方を受ける前記エタロン・フィルタと、
前記第２の部分反射ミラーからの分岐光の他方を受ける強度モニタ用フォトダイオードと、
前記エタロン・フィルタからの透過光を受ける波長モニタ用フォトダイオードと、
温度モニタ用サーミスタが実装されていることを特徴とする半導体レーザ光源。
【００２０】
（発明の構成６）
発明の構成１から５のいずれか１項に記載の半導体レーザ光源において、
前記エタロン・フィルタを構成する２枚の部分反射面は光線軸に対して垂直に配置されていることを特徴とする半導体レーザ光源。
【００２１】
（発明の構成７）
発明の構成５に記載の半導体レーザ光源において、
少なくとも前記波長モニタ用フォトダイオードの出力電流に基づいて、前記半導体レーザの光発振周波数を安定化するように制御することを特徴とする半導体レーザ光源。
【発明の効果】
【００２２】
以上説明したように、本発明によれば、波長ロッカー・ブロック内のエタロン・フィルタからの反射光を半導体レーザ自体に積極的に戻すことにより、波長安定化しつつ狭線幅動作が可能となる。
【図面の簡単な説明】
【００２３】
【図１】従来の波長可変レーザモジュールの概略の基本構成を示す図である。
【図２】本発明の実施例における半導体レーザ光源のパッケージの平面図である。
【図３】従来の半導体レーザ光源のパッケージの平面図である。
【図４】本発明の実施例におけるモニタ出力電流比（ＰＤ１／ＰＤ２）の光周波数特性を示す図である。
【発明を実施するための形態】
【００２４】
以下に、本願発明の動作原理について示す。まず、エタロン・フィルタのレーザ光発振周波数への負帰還作用について説明する。
【００２５】
エタロン（Etalon）とは、所定の間隔で対向する２枚の部分反射面を有する光学素子であり、反射光や透過光の多重干渉を利用して波長フィルタを構成することができる。エタロン・フィルタは、その部分反射面の間隔と光の波長で決まる光周波数間隔に応じて、その透過光強度や反射光強度が周期的に変化するフィルタ特性を有する。
【００２６】
いま、半導体レーザの出射側にエタロン・フィルタを設け、エタロン・フィルタからの戻り光（反射光）が半導体レーザに帰還可能に配置したとして、半導体レーザの光発振周波数が増加する方向に変化した場合を考える。
【００２７】
半導体レーザの光発振周波数が増加した場合に、エタロン・フィルタから戻る反射光の強度が増すようにフィルタ特性上の動作点が設定されているとすると、半導体レーザに戻ってくる反射光の強度が増加し、半導体利得媒質中で誘導放出により増幅される。その結果、半導体レーザの半導体利得媒質中のキャリア（電子、正孔）が消費され、キャリア密度が減少する。
【００２８】
すると、キャリア・プラズマ効果により、半導体利得媒質の屈折率が増加する方向に変化し、半導体レーザの光共振器の光学的実効長が長くなる結果、発振波長が増大し、光発振周波数は減少する方向に変化する。逆に、半導体レーザの光発振周波数が減少する方向に変化した場合は、全く逆方向の変化が生じ、光発振周波数が増加する方向に変化する。
【００２９】
このようにエタロン・フィルタの動作点を設定することによって、エタロン・フィルタからの戻り光（反射光）を介して、半導体レーザの光発振周波数への直接かつ迅速な光の負帰還作用が働き、スペクトル線幅の狭窄化が行われるようにすることができる。例えば、非特許文献2に、エタロン・フィルタによる光帰還を利用した狭線幅化の例が報告されている。
【００３０】
本発明は、波長ロッカーに搭載されているエタロン・フィルタを利用して、波長ロッカー本来の使い方である外部的なレーザ光源の制御による波長の安定化に加え、上述のレーザ光源への直接かつ迅速な光の負帰還動作による狭線幅動作をも実現可能としたものである。このように、本発明の構成では、小型、安定で、なおかつ制御性のよい狭線幅光源が実現可能となる。
【００３１】
以下に、図面を参照して本発明の実施形態について説明する。  
（実施形態）
図２は、本発明の実施例に係る半導体レーザ光源のパッケージの平面図である。
【００３２】
本実施形態に係る半導体レーザ光源では、パッケージ１０１の中に、光源ブロック１０２と波長ロッカー・ブロック１０３の２つの機能ブロックが配置されている。なお、図面には記載していないが、それぞれの機能ブロックは、ＴＥＣ（Ｔｈｅｒｍｏ−ｅｌｅｃｔｒｉｃ  ｃｏｏｌｅｒ）素子の上に実装されており、各々、独立に温度を調整することができるようになっている。
【００３３】
光源ブロック１０２の構成としては、銅（Ｃｕ）とタングステン（Ｗ）の合金であるＣｕＷなどの金属キャリア上に、単一モードで発振し波長可変機能を有する半導体レーザが搭載された半導体レーザチップ１０４、半導体レーザからの出射光を平行ビームに変換するためのレンズ１０６、温度をモニタするためのサーミスタ１０５が実装されている。図中、レーザ光の軌跡を点線矢印で示す。
【００３４】
波長ロッカー・ブロック１０３の構成としては、光源ブロック１０２から直接入射したレーザ光の一部をキャリア上に部分的に反射させるための第１の部分反射ミラー１１０、該部分反射光をさらに波長モニタ用と強度モニタ用とに分岐するための第２の部分反射ミラー１１１、波長モニタ用の反射光を受けるエタロン・フィルタ１１２、強度モニタ用の透過光を受ける強度モニタ用フォトダイオード１１３、エタロン・フィルタ１１２の透過光を受ける波長モニタ用フォトダイオード１１４、温度モニタ用サーミスタ１１５が実装されている。
【００３５】
波長ロッカー・ブロック１０３を透過した光は、透明窓１１６とを透過してパッケージ１０１から出射した後、レンズ１１７にて集光され、光ファイバ１２０に光学的に結合される。なお、光ファイバ１２０より外部からの不要な戻り光を除去するために、ファイバ・フェルール１１９の端面には光アイソレータ１１８が配備されている。半導体レーザの信頼性向上のため、パッケージ１０１は気密封止されている。
【００３６】
なお、図面には描いていないが、半導体レーザ、フォトダイオード、サーミスタなどの部品は、全てパッケージ外部に備わる端子に電気的に配線、接続されており、外部からの電気的な手段により、本半導体レーザ光源を動作させることができる。従来の波長安定化制御動作のための、波長ロッカー・ブロックから光源ブロックへの電気制御信号の信号線も、図示はしないが同様である。
【００３７】
また、２つの部分反射ミラーにより分岐されたレーザ光を、反射光、透過光と表現しているが、波長ロッカー・ブロック上における各構成要素の配置の制約などの得失はあるものの、反射光と透過光の使い方は逆であっても良いことは明らかであるから、反射光、透過光は分岐光の一方、他方と言うことができる。
【００３８】
本実施例では、半導体レーザとして、分布帰還型（ＤＦＢ）レーザアレイを用いている。半導体レーザチップ１０４内に複数（Ｎ（≧１）個、図２ではＮ＝４）の分布帰還型レーザ１０７が配列されてレーザアレイを構成しており、Ｎ対１の光合波器１０８によって一本の光導波路にまとめた後、光増幅する半導体アンプ１０９が集積化されている。レーザアレイを構成する発振波長の異なる４つの分布帰還型レーザの１０７うち、どれか一つを選択して発振させ、さらにサーミスタ１０５の出力を見ながらレーザチップの温度を変化させることにより、発振波長を広い範囲で変化させることができる波長可変レーザである。
【００３９】
なお、本実施例では、半導体レーザとして分布帰還型（ＤＦＢ）レーザ１０７を使用しているが、波長を選択するための回折格子がチップ上の半導体利得領域とは別の部分に設けられた分布反射型（ＤＢＲ）レーザであってもよい。
【００４０】
（本発明の動作例）
以下に、本発明の実際の動作例について、図２を用いて説明する。  
単一モードで発振する半導体レーザを有する光源ブロック１０２上の半導体レーザチップ１０４から出力されたレーザ光は、レンズ１０６により平行ビームに変換され、波長ロッカー・ブロック１０３へと進む。
【００４１】
波長ロッカー・ブロック１０３の第１の部分反射ミラー１１０を透過したレーザ光は透明窓１１６より出射される一方、反射したレーザ光の一部は、第２の部分反射ミラー１１１により、強度モニタ用フォトダイオード１１３と波長モニタ用フォトダイオード１１４に導かれる。それぞれの光強度がフォトダイオードの電流値に変換されることにより観測され、従来と同様な波長ロッカー・ブロックから光源ブロックへの電気信号による波長安定化制御が行われる。
【００４２】
波長モニタ用フォトダイオード１１４への光路には、エタロン・フィルタ１１２が挿入されている。エタロン・フィルタの透過率は、光の波長（光周波数）に応じて変化するため、波長モニタ用フォトダイオード１１４の電流値も、波長（光発振周波数）に応じて変化することになる。
【００４３】
エタロン・フィルタ１１２からの戻り光（反射光）の一部は、到来したのと逆の経路をたどり、光源ブロック１０２内の半導体レーザチップ１０４上の半導体レーザに達して前述の光による負帰還作用が働き、スペクトル線幅の狭窄化が行われる。
【００４４】
（従来の半導体レーザ光源との比較）
比較のため、従来の半導体レーザ光源パッケージの平面図を図３に示す。図３の従来例の構成では図２の本発明の半導体レーザ光源と同じ部分の説明は省略するが、光源ブロックと波長ロッカー・ブロックの間の光路中に、必ず光アイソレータ２１８が挿入されている。これは波長ロッカー・ブロックからの不要な反射光がレーザ光源側に戻ってくることで、レーザ発振動作を不安定化するとの理由により従来は必要とされていたものである。
【００４５】
このため図３の従来構成では、レーザ光源の外部制御による光発振周波数の安定化は図られているものの、エタロン・フィルタから半導体レーザへの前述の直接の光による負帰還作用は働いておらず、スペクトル線幅の狭窄化は達成できていない。
【００４６】
図３の従来例では、波長ロッカー・ブロックの光の入り口部分に光アイソレータ２１８が搭載されているが、光源ブロックの出口側に光アイソレータが搭載されている例もある。いずれにしても、従来は波長ロッカー・ブロックからの不要な反射光がレーザ光源側に戻ってくるのを防ぐために、光源ブロックの半導体レーザと波長ロッカー・ブロックのエタロン・フィルタとの間の光路中に、光アイソレータが挿入されており、本発明のような負帰還作用は働いていない。
【００４７】
本発明では、光源ブロックと波長ロッカー・ブロックの間の光路中に敢えて光アイソレータを設けず、エタロン・フィルタの反射光のフィルタ特性の動作点を負帰還作用が働くような点に設定することにより、エタロン・フィルタからの反射光を半導体レーザ光源側で積極的に利用してスペクトル線幅の狭窄化を達成している。
【００４８】
（本発明の光周波数特性）
図４に、本実施例において実際に光周波数を変化させた場合の、波長モニタ用フォトダイオード１１４の出力電流（ＰＤ１）を強度モニタ用フォトダイオード１１３の出力電流（ＰＤ２）で割った値の光周波数特性を示す。この特性は、エタロン・フィルタを透過した光を検出する波長モニタ用フォトダイオード１１４の出力電流（ＰＤ１）を、エタロン・フィルタ入力側の光を検出する強度モニタ用フォトダイオードの出力電流（ＰＤ２）で規格化しているため、エタロン・フィルタの光透過率の光周波数特性（フィルタ特性）と等価なものとなっている。
【００４９】
本実施例では、波長ロッカー・ブロックの温度を適当な値に調整することにより、図４の193100 GHzでエタロン・フィルタの透過特性の傾きが負の最大値となる動作点としている。
【００５０】
図４では、このときのモニタ電流の比（ＰＤ１／ＰＤ２）の値は、1.26である。そこで、モニタ電流の比（ＰＤ１／ＰＤ２）を1.26に保つように、半導体レーザの光発振周波数を外部より電気的に制御することにより、正確に193100 GHzに保つことができ、波長を安定化するように制御できる。
【００５１】
なお、エタロン・フィルタの透過特性は周期的に変化し、その周期は、エタロン・フィルタの２枚のミラーの光学的距離に依存する。本実施例では、その周期が50 GHzとなるように設計・製作されたエタロン・フィルタを使用した。よって、50 GHz間隔で並ぶ光周波数にレーザ光発振周波数（波長）を安定化させることができる。
【００５２】
また、エタロン・フィルタの透過光周波数は、温度によって変化させることができるので、温度制御を行えば、任意の波長に安定化することも可能である。
【００５３】
本実施例では、エタロン・フィルタの２枚の部分反射面は光線軸に対して垂直に配置されている。このため、エタロン・フィルタからの反射光の一部は、元の光路を辿ってレーザ光源ブロック上の半導体レーザチップに戻っていくことができる。従来例（図３）では、光源ブロック側に戻る光路上に光アイソレータ２１８が配置されていたため、エタロン・フィルタからの反射光が半導体レーザに戻っていくことはなかったが、本実施例では、そのままレーザに戻ることができる。本実施例ではエタロン・フィルタの動作点が以下の様に設定されており、この結果、前述の光周波数の負帰還作用が働き、スペクトル線幅の狭窄化という作用が働くことになる。
【００５４】
図４において、透過光周波数が193100 GHzところは、エタロン・フィルタの透過率が光周波数に対して負の傾きを持つ動作点であるので、透過率特性の反対の傾向となる反射特性としては、逆に正の傾きを持つこととなり、例えば光発振周波数が増加した場合には反射光強度が増大することとなる。
【００５５】
したがって、前述の様に半導体レーザの光発振周波数への負帰還作用が働き、狭線幅動作が達成されることとなる。実際、従来例の構成による半導体レーザ光源の線幅が500kHz程度であったものが、本発明の適用により10 kHz程度にまで狭くすることができた。
【００５６】
以上のように、本発明の適用により、従来とほぼ同様の構成で、波長安定化と狭線幅動作を両立できる小型の波長可変レーザ光源を得ることができる。
【産業上の利用可能性】
【００５７】
本発明の半導体レーザ光源は、一般的に光通信システムに利用することができる。特に、光通信システムの送受信器に利用できる、安定かつ狭線幅動作が可能な半導体レーザ光源を提供することが可能となる。
【符号の説明】
【００５８】
１０１          パッケージ
１、１０２      光源ブロック
３、１０３      波長ロッカー・ブロック
１０４          半導体レーザチップ
１０５          サーミスタ
１０６          レンズ
１０７          分布反射型（ＤＦＢ）レーザ
１０８          光合波器
１０９          半導体アンプ
２、１１０、１１１    部分反射ミラー
１１２          エタロン・フィルタ
１１３          強度モニタ用フォトダイオード
１１４          波長モニタ用フォトダイオード
１１５          サーミスタ
１１６          透明窓
１１７          レンズ
１１８、２１８  光アイソレータ
１１９          ファイバ・フェルール
１２０          光ファイバ
【図１】
0006586028.tif 000002
【図２】
0006586028.tif 000003
【図３】
0006586028.tif 000004
【図４】
0006586028.tif 000005